(57)【要約】【課題】回転台の回転によりイン／アウトスイッチ効果を具えて、スイッチ回路の配線を省略でき、二段階安全スイッチ機能と挟持固定効果とを兼ね備えて、子供が誤ってコンセントに触れて感電するのを防ぐ回転式コンセントタップを提供する。【解決手段】  コンセントタップの回転台を回転させて、該コンセントタップがイン／アウトスイッチ効果を具え、前記回転台に抗力パスを設けることによって、一定以上の力でなければコンセントタップを導通状態にすることができないようにして、二段階の安全スイッチ機能を有し、子供が好奇心からコンセントに誤接触して感電するのを予防し、コンセントタップの安全性を大幅に向上するとともに、制御スイッチと回路配線とを省略して、コンセントタップ本体の体積を縮小し製品コストを削減した。【選択図】  図２
0003105535.tif 000002
【実用新案登録請求の範囲】
【請求項１】
一側に抗力ピンを設ける一方、他の側に軸心溝を設けたベース本体と、
一側に抗力パスを設けて該抗力パスに位置決め溝を形成する一方、他の側にプラグ刃ジャックを設け、さらに回転軸を設けた回転台と、
を備えて、前記ベース本体の軸心溝に前記回転台の回転軸を軸結合して該回転台を回転可能とし、前記ベース本体の抗力ピンと回転台の抗力パスとで抗力を生じさせて該回転台を定位置まで回転するようにすると共に、バネ切片を前記プラグ刃ジャック内に配置して、前記ばね接片の反発力によって、挿入接続するプラグの導電端子との間のガタツキを防止して確実に接触し挟持固定するようにしたことを特徴とする回転式コンセントタップ。
【請求項２】
壁面に収納配置したことを特徴とする請求項１記載の回転式コンセントタップ。
【考案の詳細な説明】
【技術分野】
【０００１】
本考案は、回転式コンセントタップに係り、特にコンセントタップ内に回転台を設け、該回転台の回転によりイン／アウトスイッチ効果を具えて、スイッチ回路の配線を省略でき、二段階安全スイッチ機能と挟持固定効果とを兼ね備えて、子供が誤ってコンセントに触れて感電するのを防ぐ回転式コンセントタップに関する。
【背景技術】
【０００２】
従来のコンセントタップの構造は、図１に示すように、コンセントタップ本体１の上方に多数のコンセント１１を設け、このコンセント１１の一側に全て制御スイッチ１２を設け、この制御スイッチ１２は回路配線を経てコンセント１１に接続してスイッチ回路を形成している。使用時には、プラグをコンセント１１に差し込み、制御スイッチ１２を切り替えることによって、該コンセント１１は導通或いは非導通状態になるが、前記コンセント１１と制御スイッチ１２との間にはスイッチ回路を有しているため、コンセントを長時間使用すると、スイッチ回路はたびたび導通或いは非導通の状況に置かれるためにスイッチ回路がショートし易くなる。また、コンセントのコンセント接片そのものはしっかり挟持する効果をもたないため、プラグをコンセント１１に差し込んだときに、プラグの導電端子とコンセントのコンセント接片との表面が磨耗していると、抜け落ちたり接触不良を起こしやすく、使用上危険がある上、制御スイッチと回路配線を増設するために製品のコストが上昇し、さらにコンセントタップ本体の体積が増大してしまうという不都合があった。
【０００３】
即ち、従来のコンセントは、以下の欠点を有している。
【０００４】
１ プラグとコンセントの間にガタツキ抜け落ちを形成しやすい。  
２ 制御スイッチと回路配線を増設しなければならない。  
３ ショートし易い。  
４ スパークが発生し易い。  
５ 安全性が不足している。  
６ コンセントタップの体積が大きい。  
７ 生産コストが上昇する。  
【考案の開示】
【考案が解決しようとする課題】
【０００５】
本考案は、コンセントタップ本体の体積を縮小し、製品コストを削減するとともに、スイッチ回路により形成されるショート現象を排除し、且つ二段階安全スイッチ機能を備えて誤接触による感電を防ぎ、安全性を向上させるコンセントタップを提供することを目的としている。
【課題を解決するための手段】
【０００６】
本考案の回転式コンセントタップは、主に、コンセントタップの回転台を回転する方法によって、コンセントタップがイン／アウトスイッチ効果を備えるようにし、且つ回転台に抗力パスを設け、この抗力パスとベース本体の抗力ピンとが噛み合うと、一定以上の力でなければコンセントを導電状態に回転させることができないようにして、二段階の安全スイッチ制御機能を有し、更にばね接片自身の反発力によって、コンセントが定位置まで回転するとコンセントの導電端子とコンセントとの間をしっかり接触させ挟持固定する効果が得られるほか、接触面積が増大するため、コンセントの温度上昇が抑えられる。
【０００７】
以上より本考案のコンセントタップは、制御スイッチと回路配線とを省略でき、コンセントタップ本体の体積を縮小して製品コストを削減できるだけでなく、スイッチ回路によるショート現象を排除でき、二段階の安全スイッチ機能を備え、子供の好奇心からの誤接触による感電を予防し、コンセントタップの安全性を大幅に向上させる。
【考案の効果】
【０００８】
本考案のコンセントタップによれば、以下の効果を有する。
【０００９】
１  プラグとコンセントとの間を確実に接触させ、挟持固定できる。  
２ コンセントの温度上昇を抑えることができる。  
３ 制御スイッチと回路配線とを省略できる。  
４ ショートの発生を減少できる。  
５ 二段階の安全スイッチ機能を有する。  
６ 誤接触による感電を予防できる。  
７ コンセントの安全性が大幅に向上する。  
８ 生産コストを削減できる。  
【考案を実施するための最良の形態】
【００１０】
以下、図面を参照して本考案の一実施例を説明する。
【実施例】
【００１１】
図２に示すように、本考案一実施例の回転式コンセントタップは、ベース本体２、回転台３、ばね接片４を備えている。図３に示すように、前記ベース本体２の一側には、抗力ピン２１を設け、またベース本体２の別の一側には軸心溝２３を設け、更に該ベース本体２に延伸接片２２を設け、この延伸接片２２はそれぞれ支持板２４上に固設されている。
【００１２】
図４に示すように、前記回転台３の一側には抗力パス３１を設け、この抗力パス３１に位置決め溝３１１、３１２を形成し、また前記回転台３の別の一側にプラグ刃ジャック３２を設け、更に回転台３に回転軸３３を設け、該回転軸３３の下部に凸板３３１を延伸している（図２に示す。）。
【００１３】
図２に示すように、前記ベース本体２と回転台３とを組み立てるとき、ベース本体２の軸心溝２３（図３参照）と回転台３の回転軸３３とを軸接合して、回転台３が回転軸３３を中心に回転可能にする。また、前記ベース本体２の抗力ピン２１と回転台３の抗力パス３１とにより抗力を生じさせて、回転台３が定位置まで回転するようにし、最後にばね接片４をプラグ刃ジャック３２内に配置する。
【００１４】
図５に示すように、前記回転台３が位置決め溝３１１の位置にあるときは、前記ばね接片４と延伸接片２２とは向かい合うことができないため、プラグを挿入してもプラグの導電端子はベース本体２の延伸接片２２とかみ合わず、非導通状態を形成する。
【００１５】
図６に示すように、前記回転台３が回転して位置決め溝３１２の位置にあるときは、前記ばね接片４と延伸接片２２とが向かい合って、プラグを挿入すると導電を形成し、同時に前記ばね接片４自身は反発力を有し、また前記凸板３３１と支持板２４とが平行になると該支持板２４が凸板３３１に押圧されて、支持板２４がそれぞれ外向きに開いて、プラグの導電端子をばね接片４と延伸接片２２との間に位置させて確実に接触して挟持固定する効果を得ることができ、プラグが抜け落ちにくくなる。同時に接触面積が増大するため、コンセントの温度上昇を抑えることができる。
【００１６】
以上から本実施例のコンセントタップは、制御スイッチと回路配線とを省略できるだけでなく、該コンセントタップ本体の体積を縮小して製品コストを削減でき、ひいてはスイッチ回路が形成するショート現象を避けることができる。さらに、二段階の安全スイッチ機能を有し、子供が好奇心からコンセントに誤接触して感電するのことを予防し、大幅にコンセントの安全性を向上できる。
【００１７】
本考案実施例のコンセントタップは、図７に示すように一般の壁面５に配置して壁面コンセントタップ６として実施することもできる。
【図面の簡単な説明】
【００１８】
【図１】従来のコンセントタップを示す斜視図である。
【図２】本考案一実施例の回転式コンセントタップの構造の要部を示す斜視図である。
【図３】本考案一実施例の回転式コンセントタップのベース本体構造を示す斜視図である。
【図４】本考案一実施例の回転式コンセントタップの回転台構造を示す斜視図である。
【図５】本考案一実施例の回転式コンセントタップの動作前の状態を示す斜視図である。
【図６】本考案一実施例の回転式コンセントタップの動作後の状態を示す斜視図である。
【図７】本考案の他の実施例を示す説明図である。
【符号の説明】
【００１９】
１   コンセントタップ本体
１１ コンセント
１２ 制御スイッチ
２   ベース本体
２１ 抗力ピン
２２ 延伸接片
２３ 軸心溝
２４ 支持板
３   回転台
３１ 抗力パス
３１１     位置決め溝
３１２     位置決め溝
３２ プラグ刃ジャック
３３ 回転軸
３３１     凸板
４   ばね接片
５   壁面
６   壁面コンセントタップ
代理人  弁理士    伊藤  進
【図１】
0003105535.tif 000003
【図２】
0003105535.tif 000004
【図３】
0003105535.tif 000005
【図４】
0003105535.tif 000006
【図５】
0003105535.tif 000007
【図６】
0003105535.tif 000008
【図７】
0003105535.tif 000009